(57)【特許請求の範囲】
【請求項１】
複数枚の頁が綴じられた冊子本体と、前記冊子本体の表扉、背及び裏扉を覆う表紙とを有し、
前記表紙は、前記冊子本体の前記表扉を覆う表表紙、前記冊子本体の前記背を覆う背表紙及び前記冊子本体の前記裏扉を覆う裏表紙からなり、
前記表紙は、前記冊子本体に接合され、
前記表表紙、前記背表紙及び前記裏表紙の少なくとも１つに、前記冊子本体の天地方向に沿って少なくとも３本の凹溝が形成されている製本構造であって、
前記表表紙のうち、前記背表紙との境界線から幅１５ｍｍの範囲、及び／又は前記裏表紙のうち、前記背表紙との境界線から幅１５ｍｍの範囲に、少なくとも３本の凹溝が形成されている製本構造。
【請求項２】
前記表表紙は、第１接合部によって前記冊子本体の前記表扉に接合され、
前記裏表紙は、第２接合部によって前記冊子本体の前記裏扉に接合され、
前記背表紙は、前記冊子本体の前記背に対して接合されておらず、
前記表表紙のうち、前記背表紙との境界線と、前記第１接合部によって前記冊子本体の前記表扉に接合されている部分との間の領域に、前記冊子本体の天地方向に沿って複数本の凹溝が形成されるとともに、
前記裏表紙のうち、前記背表紙との境界線と、前記第２接合部によって前記冊子本体の前記裏扉に接合されている部分との間の領域に、前記冊子本体の天地方向に沿って複数本の凹溝が形成されている請求項１に記載の製本構造。
【請求項３】
前記冊子本体が、坪量５０〜５００ｇ／ｍ２の頁を少なくとも１枚含むものである請求項２に記載の製本構造。
【請求項４】
請求項１〜３のいずれか一項に記載の製本構造を有し、
前記冊子本体が、複数枚の紙見本が綴じられたものである、紙見本の見本帳。
【請求項５】
前記背表紙は、前記冊子本体の前記背に対して接合され、
前記背表紙と前記冊子本体の前記背とは、ポリウレタン系接着剤により形成された接着剤層によって接合されており、
前記凹溝が、デボス加工により形成されている請求項１に記載の製本構造。
【請求項６】
前記表表紙のうち、前記背表紙との境界線に隣接する領域に、前記冊子本体の天地方向に沿って複数本の凹溝が形成されるとともに、
前記裏表紙のうち、前記背表紙との境界線に隣接する領域に、前記冊子本体の天地方向に沿って複数本の凹溝が形成されている請求項５に記載の製本構造。
【請求項７】
前記背表紙に、前記冊子本体の天地方向に沿って複数本の凹溝が形成されている請求項６に記載の製本構造。
【発明の詳細な説明】
【技術分野】
【０００１】
本発明は、本の構造（製本構造）及びその製本構造を有する紙見本の見本帳に関するものである。
【背景技術】
【０００２】
本は、図２に示すように、複数枚の頁１０２が綴じられた冊子本体１０４と、冊子本体１０４の表扉１０６、背１０８及び裏扉１１０を覆う表紙１１２とを有している。そして、冊子本体１０４の背１０８等に表紙１１２が接合されることによって冊子本体１０４と表紙１１２とが一体化された構造（製本構造１０１）を採る。
【０００３】
このような製本構造においては、頁を開いた状態のまま保持する性能（見開き性）が要求される場合がある。例えば、料理本等の見開き性が良ければ、料理本から手を離して、特定頁の内容を閲覧しながら調理作業をすることができるし、また、カタログや教科書等の見開き性が良ければ、カタログや教科書等から手を離して、特定頁の内容を閲覧しながらメモをとることができるので便利である。見開き性は、多数の頁が綴じられた厚本や、比較的厚手の紙ないしは剛度の高い紙によって頁が構成される本（例えば写真本等）において特に求められる特性である。
【０００４】
見開き性の良い製本構造の一つとして、オープンバック製本（「フォローバック製本」と称される場合もある。）という製本構造が知られている（特許文献１〜３参照）。
【０００５】
オープンバック製本は、図３Ａ〜図３Ｃに示す製本構造２０１のように、複数枚の頁２が綴じられた冊子本体４と、冊子本体４の表扉６、背８及び裏扉１０を覆う表紙１２とを有し、冊子本体４の背８以外の部分（表扉６、裏扉８等）に対して表表紙１４と裏表紙１８が接合され、冊子本体４の背８に対して背表紙１６が接合されていない製本構造である。このような製本構造は、図３Ｂに示すように、頁２を開いた際に背表紙１６から冊子本体４の背８が離間して浮き上がるため、見開き性に優れている。
【０００６】
また、見開き性を向上させるために、複数枚の頁の背の部分を綴じる接着剤として、比較的柔軟性に富む接着剤（エチレン−酢酸ビニル共重合体（ＥＶＡ）系接着剤、ポリウレタン（ＰＵＲ）系接着剤等）を用いることも提案されている（特許文献４，５参照）。柔軟性に富む接着剤を用いることによって、冊子本体の背が屈曲し易くなる。従って、見開き性の向上を期待することができる。
【先行技術文献】
【特許文献】
【０００７】
【特許文献１】特開平７−１３７４７９号公報
【特許文献２】特開平１０−３２９４４７号公報
【特許文献３】特開２００１−２６１８６号公報
【特許文献４】特開平１１−１７０７２７号公報
【特許文献５】特開２００４−１８８８６３号公報
【発明の概要】
【発明が解決しようとする課題】
【０００８】
しかし、従来の製本構造においては、特許文献１〜５に記載の技術を採用したとしても未だ十分な見開き性が得られていないという問題があった。特に、冊子本体の表扉、裏扉に近い頁の見開き性が不十分であるという問題があった。
【０００９】
中でも、紙見本の見本帳において前記の問題が顕著に発生していた。紙見本の見本帳は、サンプルとなる多種類の紙が綴じられた製本構造を有しており、紙見本の中には厚手の紙や剛度の高い紙等も含まれる。また、慣行上、サンプルの配置序列がある程度決まっており、冊子本体の表扉、裏扉に近い頁に厚手の紙や剛度の高い紙を配置せざるを得ない場合もある。従って、その構造上、見開き性、特に、図３Ｃに示すような、冊子本体４の表扉６、裏扉１０に近い頁２を開いた際の見開き性を確保し難いという問題があった。
【００１０】
また、紙見本の見本帳は、見本帳から手を離して、特定頁のサンプルの内容を閲覧しながらメモをとったり、他のサンプルと対比する等の使われ方をするものである。従って、他の本と比較して、更に高い見開き性が要求されるという事情もある。このような事情は、カタログや教科書等についても同様である。
【００１１】
以上説明したように、十分な見開き性を有する製本構造、特に冊子本体の表扉、裏扉に近い頁の見開き性に優れる製本構造は未だ開示されていない。即ち、十分な見開き性を有し、特に冊子本体の表扉、裏扉に近い頁の見開き性に優れる製本構造が切望されている。
【００１２】
本発明は、このような従来技術の問題点に鑑みてなされたものである。具体的には、十分な見開き性を有し、特に冊子本体の表扉、裏扉に近い頁の見開き性に優れる製本構造及び紙見本の見本帳を提供するものである。
【課題を解決するための手段】
【００１３】
本発明者は、前記のような従来技術の課題を解決するために鋭意検討した結果、表表紙、背表紙及び裏表紙の少なくとも１つに、冊子本体の天地方向に沿う複数本の凹溝を形成することによって、前記課題が解決されることに想到して、本発明を完成させた。具体的には、本発明により、以下の製本構造及び紙見本の見本帳が提供される。
【００１４】
［１］複数枚の頁が綴じられた冊子本体と、前記冊子本体の表扉、背及び裏扉を覆う表紙とを有し、前記表紙は、前記冊子本体の前記表扉を覆う表表紙、前記冊子本体の前記背を覆う背表紙及び前記冊子本体の前記裏扉を覆う裏表紙からなり、前記表紙は、前記冊子本体に接合され、前記表表紙、前記背表紙及び前記裏表紙の少なくとも１つに、前記冊子本体の天地方向に沿って少なくとも３本の凹溝が形成されている製本構造であって、前記表表紙のうち、前記背表紙との境界線から幅１５ｍｍの範囲、及び／又は前記裏表紙のうち、前記背表紙との境界線から幅１５ｍｍの範囲に、少なくとも３本の凹溝が形成されている製本構造。
【００１６】
［２］前記表表紙は、第１接合部によって前記冊子本体の前記表扉に接合され、前記裏表紙は、第２接合部によって前記冊子本体の前記裏扉に接合され、前記背表紙は、前記冊子本体の前記背に対して接合されておらず、前記表表紙のうち、前記背表紙との境界線と、前記第１接合部によって前記冊子本体の前記表扉に接合されている部分との間の領域に、前記冊子本体の天地方向に沿って複数本の凹溝が形成されるとともに、前記裏表紙のうち、前記背表紙との境界線と、前記第２接合部によって前記冊子本体の前記裏扉に接合されている部分との間の領域に、前記冊子本体の天地方向に沿って複数本の凹溝が形成されている前記［１］に記載の製本構造。
【００１７】
［３］前記冊子本体が、坪量５０〜５００ｇ／ｍ２の頁を少なくとも１枚含むものである前記［２］に記載の製本構造。
【００１８】
［４］前記［１］〜［３］のいずれか一に記載の製本構造を有し、前記冊子本体が、複数枚の紙見本が綴じられたものである、紙見本の見本帳。
【００１９】
［５］前記背表紙は、前記冊子本体の前記背に対して接合され、前記背表紙と前記冊子本体の前記背とは、ポリウレタン系接着剤により形成された接着剤層によって接合されており、前記凹溝が、デボス加工により形成されている前記［１］に記載の製本構造。
【００２０】
［６］前記表表紙のうち、前記背表紙との境界線に隣接する領域に、前記冊子本体の天地方向に沿って複数本の凹溝が形成されるとともに、前記裏表紙のうち、前記背表紙との境界線に隣接する領域に、前記冊子本体の天地方向に沿って複数本の凹溝が形成されている前記［５］に記載の製本構造。
【００２１】
［７］前記背表紙に、前記冊子本体の天地方向に沿って複数本の凹溝が形成されている前記［６］に記載の製本構造。
【発明の効果】
【００２２】
本発明の製本構造及び紙見本の見本帳は、十分な見開き性を有し、特に冊子本体の表扉、裏扉に近い頁の見開き性に優れる。
【図面の簡単な説明】
【００２３】
【図１Ａ】本発明の製本構造の一の実施形態を模式的に示す概略斜視図である。
【図１Ｂ】図１Ａに示す製本構造を模式的に示す概略底面図である。
【図１Ｃ】図１Ａに示す製本構造の中央近辺の頁を開いた状態を模式的に示す概略底面図である。
【図１Ｄ】図１Ａに示す製本構造の表表紙寄りの頁を開いた状態を模式的に示す概略底面図である。
【図２】従来の製本構造の一の実施形態を模式的に示す概略底面図である。
【図３Ａ】従来の製本構造の別の実施形態を模式的に示す概略底面図である。
【図３Ｂ】図３Ａに示す製本構造の中央近辺の頁を開いた状態を模式的に示す概略底面図である。
【図３Ｃ】図３Ａに示す製本構造の表表紙寄りの頁を開いた状態を模式的に示す概略底面図である。
【図４Ａ】本発明の製本構造の別の実施形態を模式的に示す概略斜視図である。
【図４Ｂ】図４Ａに示す製本構造を模式的に示す概略底面図である。
【図４Ｃ】図４Ａに示す製本構造の中央近辺の頁を開いた状態を模式的に示す概略底面図である。
【図４Ｄ】図４Ａに示す製本構造の表表紙寄りの頁を開いた状態を模式的に示す概略底面図である。
【発明を実施するための形態】
【００２４】
以下、本発明を実施するための形態について具体的に説明する。但し、本発明はその特定事項を備えた全ての発明を包含する。即ち、以下の実施形態のみに限定されるものではない。
【００２５】
［１］本発明の特徴：
本発明は、図１Ｂに示すように、表表紙１４、背表紙１６及び裏表紙１８の少なくとも１つに、冊子本体４の天地方向に沿って複数本の凹溝２６，３０が形成された製本構造１である。
【００２６】
このような構造は、折れ目として機能する凹溝２６，３０が複数本形成されているため、表紙１２の柔軟性が向上する。従って、十分な見開き性を有している。また、頁２を開いた際の冊子本体４の形状変化に対する表紙１２の形状追従性が向上する。即ち、開いた頁２の位置に対応するように複数の凹溝２６，３０の折れ方が変化し、表表紙１４、背表紙１６及び裏表紙１８の間に生ずる歪みを緩和する。従って、図１Ｃに示すように中央近辺の頁２を開く場合は勿論のこと、図１Ｄに示すように表紙１２寄りの頁２を開く場合でも、良好な見開き性が発揮される。即ち、従来構造では見開き性が確保され難かった冊子本体４の表扉６、裏扉１０に近い頁２の見開き性に優れている。
【００２７】
［２］本発明の構成：
以下、本発明の構成について説明する。本発明の製本構造は、図１Ａ〜図１Ｄに示す製本構造１又は図４Ａ〜図４Ｄに示す製本構造３０１のような、冊子本体４，１０４と表紙１２，１１２を有する製本構造である。
【００２８】
［２−１］冊子本体：
「冊子本体」とは、本の中身の部分であって、複数枚の頁が綴じられた紙束を指す（「本文」と称される場合もある。）。本明細書においては、冊子本体を構成する複数の頁のうち最初の頁を「表扉」（図中符号「６」，「１０６」）、最後の頁を「裏扉」（図中符号「１０」，「１１０」）と称することにする。また、冊子本体のうち頁が綴じられている側の端部を「背」と称することにする（図中符号「８」，「１０８」）。
【００２９】
本発明においては、冊子本体の頁の綴じ方について特に限定はない。但し、複数の頁を重ねた状態でその端部を接着剤で固めて綴じる綴じ方が好ましい。このような綴じ方としては、無線綴じ、あじろ綴じ等を挙げることができる。但し、必ずしも接着剤のみで綴じられている必要はない。針金や糸が併用されていてもよい。
【００３０】
接着剤の種類について特に限定はない。但し、比較的柔軟性に富む接着剤（エチレン−酢酸ビニル共重合体（ＥＶＡ）系接着剤、ポリウレタン（ＰＵＲ）系接着剤等）を用いることが好ましい。柔軟性に富む接着剤を用いることによって、冊子本体の背が屈曲し易くなる。従って、見開き性の向上を期待することができる。また、接着剤の形態としては、溶剤型、エマルジョン型、ホットメルト型等を挙げることができる。これらの中では、ホットメルト型接着剤を用いることが好ましい。ホットメルト型接着剤を用いると、溶剤や分散媒を乾燥する必要がなく、頁を綴じる作業を迅速かつ簡便に行うことができる。
【００３１】
接着剤の塗工厚（接着剤層の厚さ）は、頁を構成する紙の種類や厚さ、頁数、接着剤の種類に応じて適宜設定すればよい。例えば、ＥＶＡ系接着剤の場合は、塗工厚を０．７〜１．５ｍｍとすることが好ましい。０．７ｍｍ以上とすることで、冊子本体に必要な強度や耐久性を付与することができる。１．５ｍｍ以下とすることで、接着剤層の剛性が高くなりすぎ、頁の見開き性が低下することを防止することができる。前記効果をより確実に得るためには、塗工厚を０．９ｍｍ以上とすることが更に好ましく、１．２ｍｍ以下とすることが更に好ましい。
【００３２】
冊子本体の頁数は、本の種類によって異なる。但し、本発明は冊子本体の頁数が多い場合に特にその効果を発揮する。具体的には、冊子本体の頁数が５０〜６００頁であることが好ましい。冊子本体が５０頁以上となった場合に、見開き性の問題が生ずることが多くなるため、本発明の構成を採用する利益がある。一方、６００頁以下とすることで、本発明の効果を確実に発揮させることができる。前記効果をより確実に得るためには、冊子本体の頁数を１００頁以上とすることが更に好ましく、４００頁以下とすることが更に好ましい。
【００３３】
頁を構成する紙の種類について特に制限はない。一般に製本に用いられる紙、例えば、上質紙、コート紙、アート紙、再生紙等を用いることができる。
【００３４】
頁を構成する紙の坪量について特に制限はない。但し、本発明は頁を構成する紙の坪量が大きい場合に特にその効果を発揮する。具体的には、坪量を５０〜５００ｇ／ｍ２とすることが好ましい。５０ｇ／ｍ２以上となった場合に、見開き性の問題が生ずることが多くなるため、本発明の構成を採用する利益がある。一方、５００ｇ／ｍ２以下とすることで、本発明の効果を確実に発揮させることができる。前記効果をより確実に得るためには、坪量を８０ｇ／ｍ２以上とすることが更に好ましく、３００ｇ／ｍ２以下とすることが更に好ましい。
【００３５】
頁を構成する紙の剛度について特に制限はない。但し、本発明は頁を構成する紙の剛度が高い場合に特にその効果を発揮する。具体的には、横方向の剛度が２０〜２５０ｃｍ３／１００であることが好ましい。２０ｃｍ３／１００以上となった場合に、見開き性の問題が生ずることが多くなるため、本発明の構成を採用する利益がある。一方、２５０ｃｍ３／１００以下とすることで、本発明の効果を確実に発揮させることができる。見開き性は、頁を構成する紙の横方向の剛度による影響が大きい。従って、縦方向の剛度について特に制限はない。但し、縦方向の剛度が３０〜４５０ｃｍ３／１００であることが好ましい。
【００３６】
なお、「剛度」とは、紙の剛直性（曲げようとする力に対してどれだけ曲がらないかという強度）を評価する指標である（「こわさ」、「コシ」と称される場合もある。）。本明細書においては、ＪＩＳ  Ｐ−８１４３に準拠して測定したクラーク剛度を「剛度」とする。
【００３７】
冊子本体のサイズも目的に応じて適宜決定すればよい。例えば、Ａ６〜Ａ４判（縦１４８〜２９７ｍｍ、横１０５〜２１０ｍｍ）、Ｂ６〜Ｂ４判（縦１８２〜３６４ｍｍ、横１２８〜２５７ｍｍ）のものを用いることができる。これらに該当しない変形サイズのものであってもよい。
【００３８】
また、冊子本体の背幅についても特に制限はない。但し、本発明は冊子本体の背幅が広い場合（厚本の場合）に特にその効果を発揮する。具体的には、冊子本体の背幅が２〜６０ｍｍであることが好ましい。２ｍｍ以上となった場合に、見開き性の問題が生ずることが多くなるため、本発明の構成を採用する利益がある。一方、６０ｍｍ以下とすることで、本発明の効果を確実に発揮させることができる。前記効果をより確実に得るためには、冊子本体の背幅を７ｍｍ以上とすることが更に好ましく、４０ｍｍ以下とすることが更に好ましい。
【００３９】
［２−２］表紙：
「表紙」とは、冊子本体の表扉、背及び裏扉を覆う部材である。本明細書においては、表紙のうち冊子本体の表扉を覆う部分を「表表紙」（図中符号「１４」，「１１４」）、冊子本体の背を覆う部分を「背表紙」（図中符号「１６」，「１１６」）、冊子本体の裏扉を覆う部分を「裏表紙」（図中符号「１８」，「１１８」）と称することにする。
【００４０】
表紙を構成する紙の種類について特に制限はない。例えば、板紙、ボール紙、コート紙等を用いることができる。
【００４１】
表紙は冊子本体の頁を構成する紙に比してやや大き目の紙が用いられる。具体的には、冊子本体のサイズより一回り（１〜５ｍｍ）大きいサイズの紙を、表紙として用いることが好ましい。
【００４２】
また、表紙は冊子本体の頁を構成する紙に比して厚手の紙が用いられる。従って、表紙としては、その坪量が１００〜３１０ｇ／ｍ２の紙を用いることが好ましい。１００ｇ／ｍ２以上となった場合に、見開き性の問題が生ずることが多くなるため、本発明の構成を採用する利益がある。一方、３１０ｇ／ｍ２以下とすることで、本発明の効果を確実に発揮させることができる。前記効果をより確実に得るためには、坪量を１５７ｇ／ｍ２以上とすることが更に好ましく、２５６ｇ／ｍ２以下とすることが更に好ましい。
【００４３】
［２−３］製本構造：
本発明の製本構造においては、図１Ｂに示す製本構造１又は図４Ｂに示す製本構造３０１のように表紙１２，１１２が冊子本体４，１０４に接合されている。接合の態様について特に制限はない。但し、冊子本体の背を綴じる方法と同様に、接着剤により形成された接着剤層によって表紙と冊子本体を接合することが好ましい。
【００４４】
表紙と冊子本体を接合する接着剤の種類については、冊子本体の背を綴じる際に使用するものと同様の接着剤（エチレン−酢酸ビニル共重合体（ＥＶＡ）系接着剤、ポリウレタン（ＰＵＲ）系接着剤等）、ホットメルト接着剤を用いることが好ましい。
【００４５】
第１接合部２０、第２接合部２２における接着剤の塗工厚（接着剤層の厚さ）は、１〜２．５ｍｍとすることが好ましい。１ｍｍ以上とすることで、表紙と冊子本体の接合強度を確保することができる。２．５ｍｍ以下とすることで、接着剤層の剛性が高くなりすぎ、頁の見開き性が低下することを防止することができる。前記効果をより確実に得るためには、塗工厚を１．３ｍｍ以上とすることが更に好ましく、１．８ｍｍ以下とすることが更に好ましい。
【００４６】
［２−４］凹溝：
本発明の製本構造においては、図１Ｂに示す製本構造１又は図４Ｂに示す製本構造３０１のように表表紙１４，１１４、背表紙１６，１１６及び裏表紙１８，１１８の少なくとも１つに、冊子本体４，１０４の天地方向に沿って複数本の凹溝２６，３０，１２６，１３０，１３２が形成されている。
【００４７】
「凹溝」とは、表紙に形成される幅狭い凹部である。通常、押圧加工によって形成されるため、「押し罫」とも称される。凹溝の形成方法は特に限定されない。例えば、後述するデボス加工等によって形成することができる。
【００４８】
凹溝の幅は、０．１〜１ｍｍとすることが好ましい。０．１ｍｍ以上とすることで、凹溝の部分を曲げ易くすることができ、折り目として機能させることが可能となる。１ｍｍ以下とすることで、一定の幅に多数本の凹溝を形成することが可能となるという効果を得ることができる。前記効果をより確実に得るためには、凹溝の幅を０．３ｍｍ以上とすることが更に好ましく、０．５ｍｍ以下とすることが更に好ましい。
【００４９】
凹溝の深さは、０．０５〜０．５ｍｍとすることが好ましい。０．０５ｍｍ以上とすることで、凹溝の部分の柔軟性を向上させることができ、折り目として機能させることが可能となる。０．５ｍｍ以下とすることで、凹溝部分の強度低下を防止することができるという効果を得ることができる。前記効果をより確実に得るためには、凹溝の深さを０．１ｍｍ以上とすることが更に好ましく、０．３ｍｍ以下とすることが更に好ましい。
【００５０】
凹溝は、表表紙、背表紙及び裏表紙の少なくとも１つに形成される。即ち、表表紙、背表紙及び裏表紙のうちのいずれか１箇所に形成されていればよい。より具体的には、背表紙のみに凹溝が形成されていてもよいし、図１Ｂに示す製本構造１のように、表表紙１４と裏表紙１８のみに凹溝２６，３０が形成されていてもよいし、図４Ｂに示す製本構造３０１のように、表表紙１１４、背表紙１１６及び裏表紙１１８の全てに凹溝１２６，１３０，１３２が形成されていてもよい。
【００５１】
凹溝は、表表紙、背表紙又は裏表紙の各々において、どの部分に形成されていてもよい。但し、表表紙のうち、背表紙との境界線に隣接する領域及び／又は裏表紙のうち、背表紙との境界線に隣接する領域に凹溝を形成することが好ましい。背表紙との境界線近傍の領域に凹溝を形成することによって、頁を開いた際にこれらの領域が変形する。従って、冊子本体の形状変形に追従して表紙も変形し、更に良好な見開き性が発揮される。
【００５２】
なお、「背表紙との境界線に隣接する領域」とは、表表紙又は裏表紙を幅方向に二等分したと仮定した場合の背表紙寄りの領域を意味する。本発明においては、表表紙のうち、背表紙との境界線から幅１５ｍｍの範囲及び／又は裏表紙のうち、背表紙との境界線から幅１５ｍｍの範囲に凹溝を形成する。この範囲に形成することで、十分な数の凹溝を形成することができる。
【００５３】
凹溝は、冊子本体の天地方向に沿って形成される。「天地方向」とは、表紙の上端から下端に向かう方向を意味する。凹溝の端部の位置は特に限定されない。但し、図１Ａに示す製本構造１又は図４Ａに示す製本構造３０１のように、表紙１２，１１２の上端から下端に至るまで形成されていることが好ましい。表紙の上端から下端に至るまで凹溝を形成することによって、凹溝が折り目として機能し易くなり、本発明の効果が発揮され易くなる。
【００５４】
凹溝は、複数本形成される。「複数本」とは、少なくとも２本であることを意味する。本発明においては、表表紙、背表紙及び裏表紙の少なくとも１つに、冊子本体の天地方向に沿って少なくとも３本の凹溝が形成されている。凹溝が１本の場合、適切な位置に折り目を形成する機能を発揮させることができない。凹溝を少なくとも２本形成することによって、適切な位置に折り目を形成する機能を発揮させることが可能となる。
【００５５】
なお、凹溝の幅、深さ、間隔等によっては２本の凹溝が一体となって１本の凹溝として機能してしまうことも考えられる。従って、前記効果をより確実に発揮させるために、少なくとも３本の凹溝を形成する。凹溝の本数の上限は特に限定されない。但し、２０本以下とすることが好ましい。
【００５６】
また、「複数本」とは、表紙を表表紙、背表紙及び裏表紙に区分した場合に、その区分された一の領域内に複数本形成されていることを意味する。即ち、表表紙、背表紙及び裏表紙の各々に一本ずつ凹溝が形成され、それらの合計が複数本であるという意味ではない。例えば、背表紙のみに複数本の凹溝が形成されている形態、図１Ｂに示す製本構造１のように、表表紙１４と裏表紙１８の各々に複数本の凹溝２６，３０が形成されている形態、図４Ｂに示す製本構造３０１のように、表表紙１１４、背表紙１１６及び裏表紙１１８の各々に複数本の凹溝１２６，１３０，１３２が形成されている形態等が含まれる。
【００５７】
複数本の凹溝の間隔は０．３〜１．５ｍｍとすることが好ましい。０．３ｍｍ以上とすることで、複数の折り目として機能させることが可能となる。１．５ｍｍ以下とすることで、適切な位置に折り目を形成する機能を発揮させることができる。前記効果をより確実に得るためには、凹溝の間隔を０．５ｍｍ以上とすることが更に好ましく、１ｍｍ以下とすることが更に好ましい。
【００５８】
複数の凹溝の間隔が全て等しい必要はない。但し、複数の凹溝を等間隔に形成することが好ましい。
【００５９】
［３］第１の実施形態：
本発明の第１の実施形態は、図１Ａ〜図１Ｄに示す製本構造１のように、本発明の製本構造をいわゆるオープンバック製本に適用した形態である。
【００６０】
［３−１］オープンバック製本：
「オープンバック製本」とは、図１Ｂに示す製本構造１のように、表表紙１４が冊子本体４の表扉６に接合され、裏表紙１８が冊子本体４の裏扉１０に接合され、背表紙１６が冊子本体４の背８に対して接合されていない製本構造である。図１Ｂに示す製本構造１は、第１接合部２０によって表表紙１４と表扉６が接合され、第２接合部２２によって裏表紙１８と裏扉１０が接合されている。
【００６１】
第１の実施形態は、オープンバック製本である限り、製本構造の他の構成については特に限定されない。例えば、丸背製本でも角背製本でもよいし、ハードカバー製本（上製本）でもソフトカバー製本（並製本）でもよい。
【００６２】
［３−２］凹溝：
第１の実施形態においては、表表紙１４のうち、背表紙１６との境界線と、第１接合部２０によって冊子本体４の表扉６に接合されている部分との間の領域、又は裏表紙１８のうち、背表紙１６との境界線と、第２接合部２２によって冊子本体４の裏扉１０に接合されている部分との間の領域に、凹溝２６，３０が形成されていることが好ましい。
【００６３】
第１の実施形態においては、第１接合部２０や第２接合部２２より前小口側のみに凹溝を形成しても本発明の効果を得ることができない。但し、前記領域に凹溝を形成した上で、第１接合部や第２接合部より前小口側に凹溝を更に形成してもよい。
【００６４】
［３−３］冊子本体：
本発明は既に述べたように坪量が大きく、比較的厚い紙によって頁が構成されている場合に特にその効果を発揮する。第１の実施形態においては、冊子本体が、坪量１００〜３００ｇ／ｍ２の頁を少なくとも１枚含むものであることが好ましい。
【００６５】
冊子本体が、坪量５０〜５００ｇ／ｍ２の頁を少なくとも１枚含むものとしては、紙見本の見本帳を挙げることができる。「紙見本の見本帳」とは、複数枚の紙見本が綴じられて冊子本体が構成されているものである。換言すれば、冊子本体を構成する頁の各々が紙見本である製本構造である。
【００６６】
［４］第２の実施形態：
本発明の第２の実施形態は、本発明の製本構造を非オープンバック製本に適用した形態である。
【００６７】
［４−１］非オープンバック製本：
「非オープンバック製本」とは、背表紙が、冊子本体の背に対して接合されている製本構造を意味するものとする。例えば図４Ｂに示す製本構造３０１は、背表紙１１６が冊子本体１０４の背１０８に対して接合されている。
【００６８】
第２の実施形態は、非オープンバック製本である限り、製本構造の他の構成については特に限定されない。例えば、フレキシブルバックでもタイトバックでもよい。また、丸背製本でも角背製本でもよいし、ハードカバー製本（上製本）でもソフトカバー製本（並製本）でもよい。
【００６９】
図４Ａ〜図４Ｄに示す製本構造３０１は、接着剤層１３２によって背表紙１１６と背１０８が接合されている。第２の実施形態においては、背表紙と冊子本体の背とが、ポリウレタン系接着剤により形成された接着剤層によって接合されていることが好ましい。
【００７０】
ポリウレタン（ＰＵＲ）系接着剤は、エチレン−酢酸ビニル共重合体（ＥＶＡ）系接着剤と比較して、接着強度が高いことに加えて、形成される接着剤層の伸張率・柔軟性・耐久性が高いという特徴がある。従って、接着剤層の厚さを薄く形成することができ、製本構造の見開き性を向上させることができる。特にＰＵＲ系のホットメルト接着剤を用いると、背表紙と冊子本体の背を接合する作業を迅速かつ簡便に行うことができる。
【００７１】
接着剤の塗工厚（接着剤層の厚さ）は、０．３〜１ｍｍとすることが好ましい。０．３ｍｍ以上とすることで、表紙と冊子本体の接合強度を確保することができる。また、接着強度が高いＰＵＲ系接着剤であれば、接着剤層の厚さを１ｍｍ以下とすることができ、見開き性を向上させることができる。前記効果をより確実に得るためには、塗工厚を０．４ｍｍ以上とすることが更に好ましく、０．７ｍｍ以下とすることが更に好ましい。
【００７２】
また、第２の実施形態においては、凹溝がデボス加工により形成されていることが好ましい。エンボス加工は被加工体の裏面側から凸模様を押し当て、前記凸模様を被加工体の表面側に浮き出させる加工方法である。これに対し、デボス加工は被加工体の表面側から凸模様を押し当て、被加工体の表面側に凹模様を形成する加工方法である。デボス加工は狭い範囲に多数本の細溝を形成することができる。従って、本発明の製本構造における凹溝の形成に適している。
【００７３】
第２の実施形態においては、図４Ａ〜図４Ｄに示すように表表紙１１４のうち、背表紙１１６との境界線に隣接する領域に、冊子本体１０４の天地方向に沿って複数本の凹溝１２６が形成されるとともに、裏表紙１１８のうち、背表紙１１６との境界線に隣接する領域に、冊子本体１０４の天地方向に沿って複数本の凹溝１３０が形成されていることが好ましい。前記のように背表紙１１６の両側に複数本の凹溝を形成することで、表表紙１１４及び裏表紙１１８を十分に開くことができ、見開き性を向上させることができる。
【００７４】
また、第２の実施形態においては、図４Ａ〜図４Ｄに示すように、背表紙１１６に、冊子本体１０４の天地方向に沿って複数本の凹溝１３２が形成されていることが好ましい。このような形態は、背表紙１１６に柔軟性を付与することができ、背表紙と冊子本体の背とが直接接合された非オープンバックの製本構造においても見開き性を向上させることができるため好ましい。特に、背表紙と冊子本体の背とを、ＰＵＲ系接着剤により形成された接着剤層によって接合した場合には、接着剤層の柔軟性と背表紙の柔軟性が相俟って、より一層、見開き性を向上させることができるため好ましい。
【実施例】
【００７５】
本発明の製本構造について、図面を参照しながら更に具体的に説明する。但し、本発明の製本構造は、その発明特定事項を備えた製本構造を全て包含するものであり、以下の実施例に限定されるものではない。
【００７６】
〔実施例１〕
実施例１の製本構造として、紙見本の見本帳を製造した。具体的な構造は、図１Ａ〜図１Ｄに示す製本構造１の構造とした。即ち、冊子本体４と表紙１２を有するオープンバック製本とした。
【００７７】
［１］冊子本体：
頁２を構成する紙として、種々の紙見本を含むものとした。具体的には、キャストコート紙、エンボス紙、アート紙を含むものとした。
【００７８】
頁２を構成する紙の坪量は、最も小さいものが、坪量８４．９ｇ／ｍ２のエンボス紙（商品名：ＯＫエンボス梨地、紙厚：８６μｍ、王子製紙社製）、最も大きいものが坪量２５６．０ｇ／ｍ２のキャストコート紙（商品名：ミラーコート・プラチナ、紙厚：２７１μｍ、王子製紙社製）と、同じく坪量２５６．０ｇ／ｍ２のアート紙（商品名：ＯＫウルトラアクアサテン、紙厚：２６７μｍ、王子製紙社製）であった。
【００７９】
前記エンボス紙の横方向の剛度は３０ｃｍ３／１００、縦方向の剛度は７０ｃｍ３／１００であった。前記キャストコート紙の横方向の剛度は１８０ｃｍ３／１００、縦方向の剛度は３５０ｃｍ３／１００であった。前記アート紙の横方向の剛度は１８０ｃｍ３／１００、縦方向の剛度は４００ｃｍ３／１００であった。
【００８０】
冊子本体４の頁２の綴じ方は、無線綴じとし、針金や糸は併用しなかった。接着剤としてはポリウレタン（ＰＵＲ）系接着剤（商品名：ハイボン  ４８５３、日立化成ポリマー社製）を用いた。接着剤の塗工厚（接着剤層３２の厚さ）は、０．５ｍｍとした。
【００８１】
冊子本体４の頁数は、１８０頁とした。また、冊子本体４のサイズは、縦１００ｍｍ、横２００ｍｍ、背幅１３ｍｍとした。
【００８２】
［２］表紙：
表紙１２を構成する紙は、アートポスト（商品名：ＯＫ特アートポスト＋、坪量：２０９．３ｇ／ｍ２、紙厚：１８９μｍ、王子製紙社製）を用いた。また、表紙１２は冊子本体４の頁２を構成する紙と同サイズのものとした。
【００８３】
［３］製本構造：
表紙１２は冊子本体４に接合した。接合は、接着剤により形成された接着剤層（第１接合部２０、第２接合部２２）によって、表紙１２と冊子本体４を接合した。接着剤としてはエチレン−酢酸ビニル共重合体（ＥＶＡ）系接着剤（商品名：ニッタイトＨ６８６１Ｂ、新田ゼラチン社製）を用いた。
【００８４】
第１接合部２０、第２接合部２２は、背表紙１６との境界線から７ｍｍ前小口側に形成した。第１接合部２０、第２接合部２２の幅は４ｍｍ、接着剤の塗工厚（第１接合部２０、第２接合部２２の厚さ）は、１．５ｍｍとした。
【００８５】
［４］凹溝：
表表紙１４のうち、背表紙１６との境界線に隣接する領域、より具体的には、表表紙１４のうち、背表紙１６との境界線と、第１接合部２０によって冊子本体４の表扉６に接合されている部分との間の領域に、９本の凹溝２６を形成した。
【００８６】
また、裏表紙１８のうち、背表紙１６との境界線に隣接する領域、より具体的には、裏表紙１８のうち、背表紙１６との境界線と、第２接合部２２によって冊子本体４の裏扉１０に接合されている部分との間の領域に、１０本の凹溝３０を形成した。
【００８７】
凹溝２６，３０は、デボス加工によって形成した。凹溝２６，３０は、幅０．３ｍｍ、深さ０．２ｍｍに形成した。複数本の凹溝２６，３０の間隔は全て０．６ｍｍとした。凹溝２６，３０は、冊子本体４の天地方向に沿って、表紙１２の上端から下端に至るまで形成した。
【産業上の利用可能性】
【００８８】
本発明は、各種書籍の製本構造として利用することができる。特に、紙見本の見本帳の構造として利用することに適している。
【符号の説明】
【００８９】
１：製本構造、２：頁、４：冊子本体、６：表扉、８：背、１０：裏扉、１２：表紙、１４：表表紙、１６：背表紙、１８：裏表紙、２０：第１接合部、２２：第２接合部、２４：領域、２６：凹溝、２８：領域、３０：凹溝、３２：接着剤層、３４：補強材、３６：空間、１０１：製本構造、１０２：頁、１０４：冊子本体、１０６：表扉、１０８８：背、１１０：裏扉、１１２：表紙、１１４：表表紙、１１６：背表紙、１１８：裏表紙、１２６：凹溝、１３０：凹溝、１３２：接着剤層、１３８：凹溝、２０１：製本構造、３０１：製本構造。
【図１Ａ】
0005687124.tif 000002
【図１Ｂ】
0005687124.tif 000003
【図１Ｃ】
0005687124.tif 000004
【図１Ｄ】
0005687124.tif 000005
【図２】
0005687124.tif 000006
【図３Ａ】
0005687124.tif 000007
【図３Ｂ】
0005687124.tif 000008
【図３Ｃ】
0005687124.tif 000009
【図４Ａ】
0005687124.tif 000010
【図４Ｂ】
0005687124.tif 000011
【図４Ｃ】
0005687124.tif 000012
【図４Ｄ】
0005687124.tif 000013